(57)【特許請求の範囲】
【請求項１】
梁の上に母屋を所望間隔で設置し、その上に角波板を敷き、前記角波板を前記角波板の谷部の上からコネクターで前記母屋に固定し、前記コネクターの上にパネルと植生マットを一体化させた緑化パネルを前記パネル側の面が前記角波板に面するように載置し、前記コネクターで前記緑化パネルの荷重を受けるように前記コネクターに前記緑化パネルを固定するようにし、
前記コネクターは、折り曲げた形状を有し、かつ、前記母屋に固定する固定部と、前記固定部を上方に折り曲げた立ち上げ部と、前記立ち上げ部の上端を折り曲げて前記固定部と平行になるように形成した、前記緑化パネルの荷重を受けて固定する受け部とを有するとともに、前記立ち上げ部の高さが前記角波板の角波の高さと略等しくなっていて、前記緑化パネルの荷重を前記コネクターと前記角波板の山とで分散して受けるようにしたことを特徴とする角波屋根上を緑化する為の屋根の施工方法。
【請求項２】
梁の上に母屋を所望間隔で設置し、その上に角波板を敷き、前記角波板を前記角波板の谷部の上からコネクターで前記母屋に固定し、前記コネクターの上にパネルと植生マットを一体化させた緑化パネルを前記パネル側の面が前記角波板に面するように載置し、前記コネクターで前記緑化パネルの荷重を受けるように前記コネクターに前記緑化パネルを固定するようにし、
前記コネクターは、平板を凹状に折り曲げたような形状を有し、前記凹状に折り曲げたような形状における底の部分が所望長の幅で前記母屋に固定する固定部となり、前記固定部の左右を略９０度上方に折り曲げた部分が立ち上げ部となり、さらに左右の前記立ち上げ部の上端をそれぞれ９０度折り曲げて前記固定部と平行になるように形成した部分が前記緑化パネルの荷重を受けて固定する受け部となっているとともに、左右の前記立ち上げ部の高さが前記角波板の角波の高さと略等しくなっていることを特徴とする角波屋根上を緑化する為の屋根の施工方法。
【請求項３】
梁の上に母屋を所望間隔で設置し、その上に角波板を敷き、前記角波板を前記角波板の谷部の上からコネクターで前記母屋に固定し、前記コネクターの上にパネルと植生マットを一体化させた緑化パネルを前記パネル側の面が前記角波板に面するように載置し、前記コネクターで前記緑化パネルの荷重を受けるように前記コネクターに前記緑化パネルを固定するようにし、
前記コネクターは、折り曲げた形状を有し、かつ、前記母屋に固定する固定部と、前記固定部を上方に折り曲げた立ち上げ部と、前記立ち上げ部の上端を折り曲げて前記固定部と平行になるように形成した、前記緑化パネルの荷重を受けて固定する受け部とを有するとともに、前記立ち上げ部の高さが前記角波板の角波の高さと略等しくなっており、
また前記コネクターは、平板を凹状に折り曲げたような形状を有し、前記凹状に折り曲げたような形状における底の部分が所望長の幅で前記母屋に固定する前記固定部となり、前記固定部の左右を略９０度上方に折り曲げた部分が前記立ち上げ部となり、さらに左右の前記立ち上げ部の上端をそれぞれ９０度折り曲げて前記固定部と平行になるように形成した部分が前記緑化パネルの荷重を受けて固定する前記受け部となっているとともに、左右の前記立ち上げ部の高さが前記角波板の角波の高さと略等しくなっていることを特徴とする角波屋根上を緑化する為の屋根の施工方法。
【請求項４】
２枚の前記緑化パネルのそれぞれの端部を突き合わせて隣接させ、前記コネクターにおける前記固定部の左右に設けられている前記受け部で２枚の前記緑化パネルをそれぞれ固定するようにしたことを特徴とする請求項１〜３のいずれかに記載の角波屋根上を緑化する為の屋根の施工方法。
【請求項５】
梁の上に母屋が所望間隔で設置され、その上に角波板が敷かれ、前記角波板は前記角波板の谷部の上からコネクターにより前記母屋に固定され、前記コネクターの上にパネルと植生マットが一体化された緑化パネルが前記パネル側の面が前記角波板に面するように載置され、前記コネクターで前記緑化パネルの荷重を受けるように前記コネクターに前記緑化パネルが固定され、
前記コネクターは、折り曲げた形状を有し、かつ、前記母屋に固定する固定部と、前記固定部を上方に折り曲げた立ち上げ部と、前記立ち上げ部の上端を折り曲げて前記固定部と平行になるように形成した、前記緑化パネルの荷重を受けて固定する受け部とを有するとともに、前記立ち上げ部の高さが前記角波板の角波の高さと略等しくなっていて、前記緑化パネルの荷重を前記コネクターと前記角波板の山とで分散して受けるようにしたことを特徴とする角波屋根上を緑化する為の屋根構造。
【請求項６】
前記梁は、片持支柱により支持されていることを特徴とする請求項５に記載の角波屋根上を緑化する為の屋根構造。
【発明の詳細な説明】
【技術分野】
【０００１】
この発明は、屋根材として角波板を葺いた上に植生マットを敷設するようにした角波屋根上を緑化する為の屋根構造及びその施工方法に関するものである。
【背景技術】
【０００２】
近年、緑地面積の減少によるヒートアイランド現象の防止や、景観の改善ためにあらゆる箇所において緑化計画が推進されるようになってきている。
【０００３】
その一環として、ビルや一般住宅の屋上や、物置や駐車場や駐輪場の屋根も緑化対策の対象となり、現在各種の方法により緑化が行われている。
【０００４】
そして、駐車場や駐輪場の屋根の場合、ビルの屋上のような重い荷重には基本的に耐えるようにできていないので、土壌を敷設するような緑化には適さない。
【０００５】
駐輪場や駐車場の屋根材としては一般的には折板屋根や角波屋根が葺かれている。折板屋根の方が強度はあるが、一方見た目がスマートでないので、マンション内の駐輪場のような場所においては、角波屋根の方が色彩も豊富で見た目もごつくなく、且つ一般的には折板屋根より安価に施工できるので、近年は特に駐輪場においては角波屋根が増えてきている。
【０００６】
しかし、角波板は本来はサイディング材として開発されたものであり、板厚が薄い上に凹凸も折板屋根材と比べると小さいので、基本的には大きな荷重には耐えられないものである。したがって、角波板に直接土壌を載せるようなことはできないのは勿論のこと、植生マットや緑化シートなどを敷いたり、緑化ユニットを載せたりする場合にも角波の変形を防止するためにこれらの荷重を十分に考慮する必要がある。
【０００７】
そこで、特許文献１には角波屋根板の谷部の形状にあわせた植物生育基材を、角波屋根板の上に設置するようにしたものが示されている。
【０００８】
また、特許文献２には折板屋根の谷部に植生マットをセットするようにしたものが示されている。
【先行技術文献】
【特許文献】
【０００９】
【特許文献１】特開２００２−８４８７２号公報
【特許文献２】特開２０００−１６６３７５号公報
【発明の概要】
【発明が解決しようとする課題】
【００１０】
しかし、特許文献１に示されるものにあっては、角波板の谷部にしか植物生育基材を設置することができないので角波屋根上全面を連続させては緑化できず、緑化が不十分な屋根としかならない。また、谷部であっても植物生育基材を設置して長期間にわたり直接荷重をかけると角波板は耐荷重が小さいので耐久性に支障が出るおそれがある。
【００１１】
また、特許文献２に示されるものは折板屋根を前提としているので、そもそも強度が大きく違う角波屋根には適用できない。
【００１２】
すなわち、角波板は折板と比べ耐荷重が小さいので、角波板の山部や谷部に直接植生マットなどの荷重を作用させたのでは、角波板が変形してしまい屋根としての機能が損なわれるおそれがある。
【００１３】
また、駐輪施設のような片持ち支柱による屋根に設置するためには、緑化した屋根構造は極力軽量化する必要があるので、工事に使用する材料は少ない方がよく、更に簡単に施工できることが望ましい。さらに、工事中に屋根の変形を防止するためにも、角波板の上に人が直接乗ることなく緑化工事が行えるようにする工夫が必要である。また、屋根全面を連続した植栽で緑化できるようにすることが緑化対策上望ましい。
【課題を解決するための手段】
【００１４】
本発明は、このような課題に鑑みてなされたものであり、その目的とするところは角波板の母屋への固定と植生マットとパネルを一体化した緑化パネルの固定を一つの同じコネクターで行うことにより、必要部材を最小限にすると共に緑化屋根の施工を簡単に行うことができるようにし、また緑化パネルの荷重を母屋の上に設置したコネクターで直接受けるようにして、軽量であるが荷重強度がそれほど大きくない角波屋根上を緑化することを可能にした屋根構造を提供することである。また、角波屋根上を連続した植栽で緑化できるようにしたパネル工法を提供することである。
【００１５】
上記の目的を達成するために、この発明に係る角波屋根上を緑化する為の屋根の施工方法は、梁の上に母屋を所望間隔で設置し、その上に角波板を敷き、前記角波板を前記角波板の谷部の上からコネクターで前記母屋に固定し、前記コネクターの上にパネルと植生マットを一体化させた緑化パネルを前記パネル側の面が前記角波板に面するように載置し、前記コネクターで前記緑化パネルの荷重を受けるように前記コネクターに前記緑化パネルを固定するようにし、前記コネクターは、折り曲げた形状を有し、かつ、前記母屋に固定する固定部と、前記固定部を上方に折り曲げた立ち上げ部と、前記立ち上げ部の上端を折り曲げて前記固定部と平行になるように形成した、前記緑化パネルの荷重を受けて固定する受け部とを有するとともに、前記立ち上げ部の高さが前記角波板の角波の高さと略等しくなっていて、前記緑化パネルの荷重を前記コネクターと前記角波板の山とで分散して受けるようにしたことを特徴としている。
また、この発明に係る角波屋根上を緑化する為の屋根構造は、梁の上に母屋が所望間隔で設置され、その上に角波板が敷かれ、前記角波板は前記角波板の谷部の上からコネクターにより前記母屋に固定され、前記コネクターの上にパネルと植生マットが一体化された緑化パネルが前記パネル側の面が前記角波板に面するように載置され、前記コネクターで前記緑化パネルの荷重を受けるように前記コネクターに前記緑化パネルが固定され、前記コネクターは、折り曲げた形状を有し、かつ、前記母屋に固定する固定部と、前記固定部を上方に折り曲げた立ち上げ部と、前記立ち上げ部の上端を折り曲げて前記固定部と平行になるように形成した、前記緑化パネルの荷重を受けて固定する受け部とを有するとともに、前記立ち上げ部の高さが前記角波板の角波の高さと略等しくなっていて、前記緑化パネルの荷重を前記コネクターと前記角波板の山とで分散して受けるようにしたことを特徴としている。
【００１６】
また、この発明に係る角波屋根上を緑化する為の屋根の施工方法は、梁の上に母屋を所望間隔で設置し、その上に角波板を敷き、前記角波板を前記角波板の谷部の上からコネクターで前記母屋に固定し、前記コネクターの上にパネルと植生マットを一体化させた緑化パネルを前記パネル側の面が前記角波板に面するように載置し、前記コネクターで前記緑化パネルの荷重を受けるように前記コネクターに前記緑化パネルを固定するようにし、前記コネクターは、折り曲げた形状を有し、かつ、前記母屋に固定する固定部と、前記固定部を上方に折り曲げた立ち上げ部と、前記立ち上げ部の上端を折り曲げて前記固定部と平行になるように形成した、前記緑化パネルの荷重を受けて固定する受け部とを有するとともに、前記立ち上げ部の高さが前記角波板の角波の高さと略等しくなっており、また前記コネクターは、平板を凹状に折り曲げたような形状を有し、前記凹状に折り曲げたような形状における底の部分が所望長の幅で前記母屋に固定する前記固定部となり、前記固定部の左右を略９０度上方に折り曲げた部分が前記立ち上げ部となり、さらに左右の前記立ち上げ部の上端をそれぞれ９０度折り曲げて前記固定部と平行になるように形成した部分が前記緑化パネルの荷重を受けて固定する前記受け部となっているとともに、左右の前記立ち上げ部の高さが前記角波板の角波の高さと略等しくなっていることを特徴としている。
【００１７】
また、この発明の角波屋根上を緑化する為の屋根の施工方法においては、２枚の前記緑化パネルのそれぞれの端部を突き合わせて隣接させ、前記コネクターにおける前記固定部の左右に設けられている受け部で２枚の前記緑化パネルをそれぞれ固定することが好ましい。
【００１９】
また、この発明の角波屋根上を緑化する為の屋根構造においては、前記梁は、片持支柱により支持されていることが好ましい。
【発明の効果】
【００２０】
この発明に係る角波屋根上を緑化する為の屋根の施工方法によれば、角波板を母屋に固定するために使用するコネクターで植生マットをパネルと一体化した緑化パネルの固定もできるので、必要部材を最小限にできると共に緑化屋根の施工を簡単に行うことができる。そして、植生マットをパネルと予め一体化しておくことにより、角波板の上に人が直接乗ることなく緑化工事を行うことができる。
【００２１】
また、この発明に係る角波屋根上を緑化する為の屋根構造によれば、緑化パネルにかかる荷重を母屋の上に設置したコネクターで直接受け、またコネクターと角波の山の高さを揃えることで角波の山にかかる荷重を分散できる。そしてコネクターが大部分の荷重を受けるので、軽量であるため荷重強度がそれほど大きくない角波屋根上を緑化でき、全体として軽量化が可能となるため、片持ち支柱の上屋でも施工でき低コストで緑化した屋根構造を提供することができる。また、角波屋根上に緑化パネルを敷設することにより連続した植栽で緑化できる。
【００２２】
さらに、緑化パネルはコネクターにボルトで固定するだけで設置できるので、着脱が可能であり、緑化パネルの交換や角波屋根のメンテナンスが簡単に行える。また、コネクターや角波屋根と緑化パネルの接触部に止水テープを介在させることにより基本的に角波屋根に雨水などが流れることが防止でき、角波屋根の耐久性を高めることもできる。
【図面の簡単な説明】
【００２３】
【図１】本発明の角波屋根上を緑化する為の屋根構造を示す正面断面図である。
【図２】本発明で使用する緑化パネルの正面断面図である。
【図３】本発明で使用する緑化パネルのコネクターを示し、（Ａ）は平面図、（Ｂ）は正面図である。
【図４】本発明で使用する緑化パネルの固定金具を示し、（Ａ）は平面図、（Ｂ）は正面図である。
【図５】本発明の角波屋根上を緑化する為の屋根構造を駐輪場に適用した例を示す側面図である。
【図６】本発明の角波屋根上を緑化する為の屋根構造の他例を示す正面断面図である。
【発明を実施するための形態】
【００２４】
本発明の角波屋根上を緑化する為の屋根の施工方法においては、梁の上に母屋を所望間隔で設置し、その上に角波板を敷き、角波板を角波板の谷部の上からコネクターで母屋に固定し、コネクターの上にパネルと植生マットを一体化させた緑化パネルをパネル側の面が角波板に面するように載置し、コネクターで緑化パネルの荷重を受けるようにコネクターに緑化パネルを固定するようにしたことに特徴がある。
【００２５】
本発明では角波板を固定する部材を母屋と称したものであり、角波板直下に設けられるものであれば、その名称にはこだわらない。屋根の構造によっては、本発明でいうところの母屋は、梁であっても、垂木であっても、母屋桁であってもよい。また、本発明の梁は、母屋を設置するための横木となるためのものであり、場合によっては駐輪場の片持ち支柱屋根のように、金属製の支柱を折り曲げて支柱と梁部分が物理的に分かれていない構造のものであってもよい。また、梁の上に母屋を設けず、梁に直接角波板を固定したような場合には、この梁が本発明でいうところの梁と母屋を兼ねたものとなる。
【００２６】
パネルは、その上部に設置される植生マットの荷重に耐えうる強度があればその構造はどのようなものでもよく、金属製や合成樹脂製のものが使用可能である。また、パネルと称しているが、板状のものの他、パンチングメタルのようなものや、金網のようなものであってもよい。雨水そのものは角波板で受けるので防水性は不要であるが、後述する実施例２のように防水・止水対策を施す場合は非透水性の板状のパネルを使用する。
【００２７】
植生マットは既に屋上緑化などに使用されているマット状やシート状のものが使用でき幅や長さも適宜選択可能である。地被植物としてはコケ植物、セダム、イワダレソウ、シバなどが使用できるが、緑化できる植栽はこれらに限定されるものではない。
【００２８】
そして、工事の施工性を高めるために、パネルと植生マットは予め緑化パネルとして一体化させておく。一体化させる方法としては、例えばパネルに建材用接着剤を塗布し、不織布を基材とした植生マットを接着させるようにする。なお、施工箇所によっては、パネルを先行して設置し、その後植生マットを敷設することも可能である。また、植生マットをパネルに接着せず、植生マットをパネルと飛散防止ネットで挟み、飛散防止ネットをパネルに固定するようにして、パネルと植生マットを一体化させてもよい。このようにしておくと、飛散防止ネットを取り外すだけでパネルはそのままの状態で植生マットのみを交換することができる。
【００２９】
また好ましくは、コネクターは、折り曲げた形状を有し、かつ、母屋に固定する固定部と、固定部を上方に折り曲げた立ち上げ部と、立ち上げ部の上端を折り曲げて固定部と平行になるように形成した、緑化パネルの荷重を受けて固定する受け部とを有するとともに、立ち上げ部の高さが角波板の角波の高さと略等しくなるようにする。例えば、コネクターは、平板を凹状に折り曲げたような形状を有し、凹状に折り曲げたような形状における底の部分が所望長の幅で母屋に固定する固定部となり、固定部の左右を略９０度上方に折り曲げた部分が立ち上げ部となり、さらに左右の立ち上げ部の上端をそれぞれ９０度折り曲げて固定部と平行になるように形成した部分が緑化パネルの荷重を受けて固定する受け部となるようにするとともに、左右の立ち上げ部の高さが角波板の角波の高さと略等しくなるようにする。
【００３０】
なお、コネクターの立ち上げ部の高さは、後述する実施例２のように止水テープを使用する場合はその厚みを考慮して決定することが好ましい。また、パネルの強化フレーム部分でコネクターに固定される場合は、パネルと強化フレームの厚みの差を考慮してコネクターの立ち上げ部の高さを決定することが好ましい。いずれの場合も、基本的にはコネクターでパネルの荷重の大半を受けるか、あるいはコネクターと角波板の山で略均等にパネルの荷重を受けるように立ち上げ部の高さを決定する。少なくとも、角波板の山には大きな荷重が作用しないようにすることが望ましい。
【００３１】
また好ましくは、２枚の緑化パネルのそれぞれの端部を突き合わせて隣接させ、コネクターにおける固定部の左右に設けられている受け部で２枚の緑化パネルをそれぞれ固定する。一つの固定部の左右に設けられている受け部で２枚のパネルを固定できるので作業効率が高まるとともに、工事に必要な部材を削減でき軽量化を図れる。また、後述する実施例２のように防水・止水対策を施す場合、１枚のパネルの中間部分にはパネルを貫通するボルトがないので、パネルの止水対策を行いやすい。
【００３２】
そして、本発明の角波屋根上を緑化する為の屋根構造においては、梁の上に母屋が所望間隔で設置され、その上に角波板が敷かれ、角波板は前記角波板の谷部の上からコネクターにより母屋に固定され、コネクターの上にパネルと植生マットが一体化された緑化パネルがパネル側の面が角波板に面するように載置され、コネクターで緑化パネルの荷重を受けるようにコネクターに緑化パネルが固定されていることに特徴がある。
【００３３】
本発明の角波屋根上を緑化する為の屋根構造は上記したような施工方法により工事することが可能であるが、施工箇所によっては予め緑化パネルと角波板をコネクターで接続して一体化しておき、その後コネクターにより角波板を母屋にボルトで固定することも可能である。すなわち、結果として緑化パネルの荷重と緑化パネルに作用する風圧などがコネクターを介して母屋で受けるような構造となっていれば本発明の目的は達成される。
【００３４】
また好ましくは、梁は、片持支柱により支持されている。片持ち支柱屋根を緑化する場合は、屋根に不都合が生じないようにするためにも軽量化は重要な要件となる。
【実施例１】
【００３５】
次に、本発明の角波屋根上を緑化する為の屋根構造及びその施工方法の一実施例を、図５に示す片持ち支柱の駐輪場を例に図１〜図４に基づいて説明する。
【００３６】
図１に示すように、支柱１により梁２を支持し、その上に母屋３を所望間隔で配設する。そして、その上に角波板４を屋根の傾斜に合わして雨水が流れる方向に向け、ボルト５により角波板４の谷部を母屋３に固定する。ここまでは従来の角波板を使用した片持ち支柱屋根構造と同じである。そして、この上に緑化パネル６を設置する。
【００３７】
緑化パネル６は図２に示すように、パネル７に植生マット８を接着剤で接着して一体化させたものである。接着剤は耐水性を有するものであれば何でもよいが、設置作業時の取り扱い性や、設置後の耐久性などを考慮すると１５０ｋＮ／ｍ2程度以上の接着力を有するものが望ましい。
【００３８】
パネル７としては例えば厚さ０．５〜０．７ｍｍ程度のステンレス鋼板、ガルバニウム鋼板やＺＡＭ鋼板などの耐食性に優れた鋼板を折り曲げたものを使用する。パネル７の一枚の大きさは工事の便宜と屋根の大きさなどを考慮して決定すればよい。例えば、長さは屋根の奥行きに合わして２０００〜２５００ｍｍとする。幅は一人でも取り回しが可能な総重量と運搬性から５００〜６００ｍｍ程度とし、取り付けコネクター１１の取り付けピッチにより角波板の波長（谷と谷の間隔）の倍数とする。例えば、パネル７の幅を図１に示すように角波板の４波長分とすると、角波板の波長が１２５ｍｍの場合は幅５００ｍｍ、１３０ｍｍの場合は５２０ｍｍとなり、この寸法から植生マット８の幅が決定される。
【００３９】
このように屋根の奥行きにパネル７を合わしておくと、緑化パネル６を角波板４の上に設置するときに、角波板４の上に人が乗らなくても簡単に設置作業を進められ、屋根に人が乗って作業する場合でも、駐輪場の屋根の高さは２０００〜２８００ｍｍ程度のため、屋根下にいる職人が屋根の高さまで緑化パネル６やパネル７を高く持ち上げ、屋根上にいる職人に渡すことができるため、屋根への荷揚げ作業が簡単で施工の速度が向上する。また、後述するボルト１３を通すためのボルト用透孔１３２がボルト１３の位置に対応させて形成されている。
【００４０】
パネル７の外周には補強のために厚さ１．６ｍｍのＺＡＭ鋼板製の強化フレーム９が取り付けられている。また、植生マット８は厚さ１０ｍｍの不織布にスナゴケが植栽されたものであり、上面には飛散防止ネット１０が設けられている。なお、植生マット８の材質や形状、植栽の種類は本実施例で述べるものに限定されるものではなく、各種の植生マットや緑化シートが使用可能である。
【００４１】
そして、コネクター１１を緑化パネル６の幅に合わして角波板４の谷部の上にボルト１２で母屋３に固定し、その上に緑化パネル６を設置し、ボルト１３とナット１４により緑化パネル６をコネクター１１に固定する。緑化パネル６の長さは角波板４で葺いた屋根の奥行きに合わしてあるので、緑化パネル６は単純に角波板４の上に置いていけばよいので、設置作業を簡単に行うことができる。
【００４２】
コネクター１１は例えば図３に示すように、底の部分の幅が角波板４の谷部の幅より若干短くなるように平板を凹状に折り曲げたような形状を有している。そして、凹状に折り曲げたような形状における底の部分が所望長の幅で母屋３に固定する固定部１１１となり、固定部１１１の左右を略９０度上方に折り曲げた部分が立ち上げ部１１２となり、さらに左右の立ち上げ部１１２の上端をそれぞれ９０度折り曲げて固定部１１１と平行になるように形成した部分が緑化パネル６の荷重を受けて固定する受け部１１３となっている。また、左右の立ち上げ部１１２の高さは角波板４の角波の高さ（山の高さ）と略等しくなっている。また、固定部１１１にはボルト１２を通すためのボルト用透孔１２１が、固定部１１１の左右に設けられている受け部１１３にはボルト１３を通すためのボルト用透孔１３１がそれぞれ形成されている。
【００４３】
また、緑化パネル６のナット１４による固定は、ナット１４で緑化パネル６を直接固定してもよいが、例えば図４に示すような長方形の固定金具１５を使用して固定する。固定金具１５には、コネクター１１の受け部１１３のボルト用透孔１３１と緑化パネル６のボルト用透孔１３２を通したボルト１３を通すためのボルト用透孔１３３が形成されており、また各角部の片面に突起１５１が形成されていて、緑化パネル６の上面に食い込むようにしてある。
【００４４】
そして、緑化パネル６をコネクター１１に固定するには、相隣接する２枚の緑化パネル６の強化フレーム９が設けられたそれぞれの端部を突き合わせてコネクター１１における固定部１１１の左右に設けられている受け部１１３にそれぞれの緑化パネル６の端部を載せ、ボルト１３をコネクター１１のボルト用透孔１３１，緑化パネル６のボルト用透孔１３２，固定金具１５のボルト用透孔１５１を挿通させて固定金具１３２の上からナット１４により固定する。なお、実際の作業時においては、ボルト１３をコネクター１１のボルト用透孔１３１を挿通させた状態で予め固定しておき、この状態のコネクター１１をボルト１２で母屋３に固定するようにする。あるいは、コネクター１１のボルト用透孔１３１をボルト１３に対応させたネジ孔とし、固定金具１３２の上からボルト１３を挿通させて緑化パネル６をコネクター１１に固定するようにしてもよい。
【００４５】
また、パネル７の強化フレーム９が大きい場合は、強化フレーム９をコネクター１１の受け部１１３に位置するように載置して固定するようにしてもよい。この場合、パネル７の面より強化フレーム９の方が出っ張っているのでコネクター１１の立ち上げ部１１２の高さを調整し、角波板４の山がほぼパネル７に接するようにする。
【００４６】
緑化パネル６の荷重は基本的にはコネクター１１で受けることになり、コネクター１１は母屋３に直接固定されているので、角波板４へは緑化パネル６の荷重が大きくは基本的には作用しないので角波板４が変形するようなことがない。また、コネクター１１を固定するボルト１２により角波板４も母屋３に固定できるので、場合によっては角波板４を単独で固定しているボルト５による固定作業を省略することも可能である。
【実施例２】
【００４７】
図６は、本発明の角波屋根上を緑化する為の屋根構造及びその施工方法の他例を示したものであり、防水・止水対策を施した以外は基本的には上記実施例と同じであるので、異なる部分についてのみ説明する。
【００４８】
緑化パネル６のパネル７を非透水性の板材で形成すると共に、コネクター１１を母屋３にボルト１２で固定するに際し、間に止水テープ１６を介在させる。また、緑化パネル６のパネル７がコネクター１１に隣接する角波板４の山と接触する箇所にも止水テープ１６を介在させる。なお、止水テープ１６としては例えば厚さ１．０ｍｍのブチルゴムテープが使用できるが、その他止水・防水効果が期待できるものであれば何でもよい。
【００４９】
角波板４とパネル７の間を止水することにより、この範囲においてはパネル７の存在により角波板４には雨水が入り込まず止水ゾーンを形成できることになる。コネクター１１を固定してある箇所は相隣接する緑化パネル６の接続部分となるのでここには雨水が入り込むことになるが、コネクター１１と母屋３の間は止水処理がしてあり防水ゾーンを形成できるので、角波板４の上を流れる雨水が母屋３の方へ浸水することはない。
【００５０】
また、角波板４の中間部分をボルト５で固定している部分は基本的には雨水は入り込まないが、施工中やメンテナンスなどでパネル７が載っていない状態でも止水されるようにボルト５に防水パッキン１７を介在させておく。なお、隣接する角波板４の合わせをこの止水ゾーンで行うことで、合わせ目からの浸水を確実に防止することができる。
【００５１】
また、このような箇所を止水テープ１６や防水パッキン１７で防水することで、毛細管現象による浸水を防ぐこともできる。また、止水テープ１６の上面をシリコン製や水膨張性の不織布などの接着をしなくても止水できるテープ状のものを使用することにより、緑化パネル６の着脱性を損なうことがない。
【産業上の利用可能性】
【００５２】
本発明は、片持ち支柱の駐輪場の角波屋根や、バイク置き場やカーポートやバス停などの各種上屋の角波板の屋根について、新設時は勿論のこと、既設の角波板を葺いた屋根についてもコネクターを取り付けるという簡単な改修工事により緑化パネルを取り付けることができ、角波屋根の上を連続した植栽で緑化することが必要とされるあらゆる分野に有用である。
【符号の説明】
【００５３】
１          支柱
２          梁
３          母屋
４          角波板
５          ボルト
６          緑化パネル
７          パネル
８          植生マット
９          強化フレーム
１０        飛散防止ネット
１１        コネクター
１１１      固定部
１１２      立ち上げ部
１１３      受け部
１２        ボルト
１２１      ボルト用透孔
１３        ボルト
１３１，１３２，１３３      ボルト用透孔
１４        ナット
１５        固定金具
１５１      突起
１６        止水テープ
１７        防水パッキン
【図１】
0005501741.tif 000002
【図２】
0005501741.tif 000003
【図３】
0005501741.tif 000004
【図４】
0005501741.tif 000005
【図５】
0005501741.tif 000006
【図６】
0005501741.tif 000007